(57)【要約】【課題】筆圧により先端部が軸径方向に撓むことのない複数の剛体のペン体を周状に配列して、先端側を先窄み状としたペン体を備えた筆記具おいて、筆記時の筆圧によりペン体が後退することで抑揚感があり、筆跡幅が変化可能で、かつ各ペン体の筆圧によりの後退量を調整できるようにする。【解決手段】複数の剛体のペン体６を、先端を先窄み状となるように集合してペン先２とし、インキ流通路１１と該インキ流通路１１に連通し外方に開口したスリット１２を有したペン体保持部材８の収容溝９に、筆記時の筆圧により後方へ移動可能に、かつコイルばね１８により前方方向へ弾発して設ける。調整回動体２６と該調整回動体２６が回動することにより前後動可能なストローク調整体２９を設ける。ストローク調整体２９とペン体６が当接することで、ペン体６の筆圧による後退量を調整する。【選択図】図３
2012192583.tif 000002
【特許請求の範囲】
【請求項１】
外周面上に後方に向かうにしたがってより軸心から離間する複数の収容溝を周状に複数有し、少なくとも後端を開口し前後に延びたインキを先端に流通するためのインキ流通路と、先端部にインキ流通路に連通したスリットを有したペン体保持部材に、該ペン体保持部材の収容溝に遊嵌可能な挿着部を有した先端部が筆圧により軸径方向に撓むことのない剛体の複数のペン体を、挿着部を収容溝に遊嵌してペン体保持部材に対して前後動可能に配し、集合した各ペン体の先端部の全体形状が先窄み状となるようにしてペン先を形成するとともに、ペン体の先端部の内壁面とペン体保持部材のスリットを設けた外壁面との間に毛管作用によりインキが滞留するインキ滞留部を設け、軸体内に、該軸体に体してペン体保持部材が前後動することなくペン体の先端が軸体の先端より突出して挿着し、ペン体とペン体保持部材との間にばねを張架し、軸体の後方に、インキを収容する軸筒を連接するとともに、軸体と軸筒の間に、外周面を外方に露出した調整回動体を軸体に対して回動可能に配し、調整回動体の内側に、各ペン体に当接可能な突起体を有したストローク調整体を、調整回動体を回動することにより調整回動体に対し前後動可能にねじ嵌合して設け、ペン体の筆圧による軸体およびペン体保持部材に対しての後退量を、調整回動体を回動してストローク調整体を前後動してペン体と突起体が当接するまでの移動距離としたことを特徴とする筆記具。
【請求項２】
前記ペン体に、先端に開口した切割部を設けたことを特徴とする、請求項１に記載の筆記具。
【発明の詳細な説明】
【技術分野】
【０００１】
本発明は、複数のペン先片を周状に配列し、各ペン先片の先端を全体形状が先窄み状となるように集合したペン先を有した筆記具に関する。
【背景技術】
【０００２】
従来、どの方向からも筆記面に筆記できる無方向性のペン先として、複数のペン体を周状に配列して、集合した各ペン体の先端部の全体形状が略円錐形状となるように集合してなるペン先は知られており、ペン体が、筆圧により先端部が軸径方向に撓むことのない剛体に形成されたものも、特開２００３−１６５２９３号公報により知られている。
【０００３】
ところで万年筆においては、筆記時の筆圧により、ペンの先端に形成された切割溝により先端が開き、紙面等の筆記面へインキを流出するための前記切割溝で構成されたインキ流出路の幅が広くなるので、筆跡幅に変化をもたらすことができるが、従来の剛体の複数のペン体で構成された無方向性のペン先にあっては、ペン先の先端へのインキ流出は各ペン体間で形成される隙間に依存しており、筆記時の筆圧によりペン体が軸径方向に撓んだりしないので、前記隙間量に変化がおこらず、筆跡幅に変化をもたらすことができないという問題があった。また、従来の剛体のペン体で構成されたペン先を備えた筆記具においては、筆記時の筆圧により各ペン体が後退することがないので、抑揚感がないという問題もあった。
【先行技術文献】
【特許文献】
【０００４】
【特許文献１】特開２００３−１６５２９３号公報
【発明の概要】
【発明が解決しようとする課題】
【０００５】
本発明は前記事実に鑑みてなされたもので、どの方向からも筆記できるように、軸体内に、筆圧により先端部が軸径方向に撓むことのない複数の剛体のペン体を周状に配列して、集合した各ペン体の先端部の全体形状が先窄み状となるようにしたペン先を備えた筆記具において、筆記時の筆圧によりペン体が後退し、万年筆のペン先のように筆跡幅が変化可能で、かつ各ペン体が筆圧により後退することで抑揚感があり、その後退量を調整できる筆記具を得ることにある。
【課題を解決するための手段】
【０００６】
本発明は、
「１．外周面上に後方に向かうにしたがってより軸心から離間する複数の収容溝を周状に複数有し、少なくとも後端を開口し前後に延びたインキを先端に流通するためのインキ流通路と、先端部にインキ流通路に連通したスリットを有したペン体保持部材に、該ペン体保持部材の収容溝に遊嵌可能な挿着部を有した先端部が筆圧により軸径方向に撓むことのない剛体の複数のペン体を、挿着部を収容溝に遊嵌してペン体保持部材に対して前後動可能に配し、集合した各ペン体の先端部の全体形状が先窄み状となるようにしてペン先を形成するとともに、ペン体の先端部の内壁面とペン体保持部材のスリットを設けた外壁面との間に毛管作用によりインキが滞留するインキ滞留部を設け、軸体内に、該軸体に体してペン体保持部材が前後動することなくペン体の先端が軸体の先端より突出して挿着し、ペン体とペン体保持部材との間にばねを張架し、軸体の後方に、インキを収容する軸筒を連接するとともに、軸体と軸筒の間に、外周面を外方に露出した調整回動体を軸体に対して回動可能に配し、調整回動体の内側に、各ペン体に当接可能な突起体を有したストローク調整体を、調整回動体を回動することにより調整回動体に対し前後動可能にねじ嵌合して設け、ペン体の筆圧による軸体およびペン体保持部材に対しての後退量を、調整回動体を回動してストローク調整体を前後動してペン体と突起体が当接するまでの移動距離としたことを特徴とする筆記具。
２．前記ペン体に、先端に開口した切割部を設けたことを特徴とする、前記１項に記載の筆記具。」
である。
【０００７】
前記ペン体保持部材に設けるインキ流通路は、単なる貫通孔でも良いし、貫通孔に繊維状のインキ誘導芯等を挿入した構成としても良く、軸筒内に収容したインキをペン体保持部材の先端部に確実に流通できればどのような構造でも良い。また、ペン体保持部材の先端部に形成するスリットの数は特に限定されず、インキ滞留部に充分に供給できれば１つでも良いし、例えばペン体の数だけまたはそれ以上の複数設けても良い。
【発明の効果】
【０００８】
本発明は前記したような構造なので、どの方向からも筆記できるように、軸体内に、筆圧により先端部が軸径方向に撓むことのない複数の剛体のペン体を周状に配列して、集合した各ペン体の先端部の全体形状が先窄み状となるようにしたペン先を備えた筆記具であっても、ペン体が筆記時の筆圧により後方に移動するので、各ペン体間の離間距離が広くなって筆跡幅に変化をもたらすことができ、調整回動体を回動してストローク調整体を前後動することによりペン体の後退量を調整することができるので、同じ筆圧でも筆跡幅に変化をもたらすことができ、かつペン体の後退による抑揚感を感ずることができる。
【０００９】
請求項２に係る発明とすることで、ペン体が後退して各ペン体の先端が互いに離間することで各ペン体間の隙間量が広くなり、毛細管としての機能が低下して各ペン体の先端へのインキ供給量が少なくなっても、ペン体の後退による幅が変化しない切割溝によりインキが供給できるので、ペン先の先端に充分にインキを供給することができる。
【図面の簡単な説明】
【００１０】
【図１】本発明の筆記具の実施例を示す、筆記具の斜視図である。
【図２】第１の実施例における筆記具の内部構造の概略を示す、要部を断面した図である。
【図３】図２における筆記具の要部の拡大断面図である。
【図４】第１の実施例におけるペン体の拡大斜視図である。
【図５】第１の実施例におけるペン体保持部材の拡大斜視図である。
【図６】ペン体保持部材にペン体を配した状態を示す拡大斜視図である。
【図７】第１の実施例におけるペン芯保持部材の拡大斜視図である。
【図８】第１の実施例におけるストローク調整体の拡大斜視図である。
【図９】図３において、調整回動体を回動してストローク調整体を前進させて、所望する距離だけペン体を後退させた状態を示した図である。
【図１０】第２の実施例の筆記具の内部構造の概略を示す、要部を断面した図である。
【発明を実施するための形態】
【００１１】
どの方向からも筆記できるように、軸体内に、筆圧により先端部が軸径方向に撓むことのない複数の剛体のペン体を周状に配列して、集合した各ペン体の先端部の全体形状が先窄み状となるようにしたペン先を備えた筆記具おいて、ペン体を筆記時の筆圧により後方へ移動可能に配するとともにばねにより前方方向に弾発し、調整回動体およびストローク調整体を、調整回動体を回動することでストローク調整体が前後動するように配し、ストローク調整体によりペン体の後退量を調整できるようにする。
【実施例１】
【００１２】
本発明の筆記具の第１の実施例を、図１〜図９を用いて説明する。本実施例の筆記具１は、図１に示すように、ペン先２を備えたペン先部３と、調整部４と、インキを収容した軸部５とで構成されている。前記ペン先２は、前方に向かって軸径方向と周方向において先窄み状の先端部６ａを有し、該先端部６ａに軸心方向に延び先端に開口した切割部７を設けた、筆圧により先端部６ａが軸径方向に撓むことのない剛体の複数のペン体６を（図４を参照）、周状かつ先端が先窄み状となるように配して形成してある。
【００１３】
各ペン体６を周状に配するためのペン体保持部材８は、図５に示すように、小径な前方突設部８ａと、該前方突設部８ａより大径で、後方（図３において右側方向）に向かうにしたがい漸次大径となるテーパー状の本体部８ｂと、該本体部８ｂより小径な小軸部８ｃと、本体部８ｂより大径な後端鍔部８ｄとで構成されている。本体部８ｂの外周面には、該本体部８ｂのテーパーに沿って６つの収容溝９を設けてある。また、ペン体保持部材８には、後端鍔部８ｄの後端から前方突設部８ａの先端に貫通した貫通孔１０を形成し、内部に繊維束からなるインキ誘導芯を挿入してインキを流出するためのインキ流通路１１を設けてある。前記前方突設部８ａは、先端部８ａａをさらに小径にし、一方をインキ流通路１１に連通し他方を外方に開口した、収容溝９と同数のスリット１２を設けてある。
【００１４】
前記ペン体６は、図４に示すように、本体部６ｂの前方に先窄み状の先端部６ａを、後方に前記収容溝６に遊嵌する挿着部６ｃを有した形状としてあり、該挿着部６ｃは収容溝９のテーパーにならい、後端が後方に向かうにしたがって軸心Ｈより離間するように形成してある。挿着部６ｃの後端には、内側に突出した突出部１３を設けてある。また、先端部６ａは、後方に向かうにしたがって肉厚が漸次厚くなり、各ペン体６をペン体保持部材８に挿着した際に、各ペン体６の先端部６ａの内壁面がペン体保持部材４の中心軸線上で互いに当接するように形成してある。
【００１５】
本実施例においては６つのペン体６をペン体保持部材８に、挿着部６ｃをペン体保持部材８の収容溝９に遊嵌し、挿着部６ｃの突出部１３を小軸部８ｃに対向して挿着し、ペン先２の形状が略円錐形となるように設けてある。各ペン体６は、ペン体保持部材８に対して、突出部１３がペン体保持部材８の本体部８ｂと後端鍔部８ｄに当接する間を前後動可能としてある。
【００１６】
各ペン体６の先端部６ａの後端には切欠部１４を設けてあり、該切欠部１４で構成された挿入孔１５（図３を参照）を形成してある。該挿入孔１５の内径は、ペン体保持部材８の前方突設部８ａの先端部８ａａの外径より若干大径となるように形成してあり、先端部８ａａのスリット１２の周りの外壁面と前記切欠部１４を構成する内壁面との間の隙間は、毛管作用によりインキが溜るインキ滞留部１６としてある。
【００１７】
ペン体６の本体部６ｂの内壁面に形成した段部１７の後端面とペン体保持部材８の本体部８ｂの前端面との間にコイルばね１８を張架してある。
【００１８】
前記ペン体６およびペン体保持部材８を装着するペン先部３を構成する軸体１９は、図３に示すように、内部に、ペン体保持部材８に挿着した各ペン体６が後退（図３において右側方向）可能に、ペン体６の本体部６ｂおよび挿着部６ｃで形成されるテーパー状の外形にならったテーパー状内壁面部１９ａと、ペン体保持部材８の後端鍔部８ｄが当接可能な段部１９ｂを設けてある。各ペン体６およびコイルばね１８をペン体保持部材８に装着した状態で軸体１９内に挿入し、各ペン体６の先端部６ａを軸体１９より突出し、本体部６ｂおよび挿着部６ｃをテーパー状内壁面部１９ａに位置し、ペン体保持部材８の後端鍔部８ｄを段部１９ｂに当接させて軸体１９に挿着してある。
【００１９】
櫛溝２０と前後端に開口して連通したインキ流出溝（図示せず）を有したペン芯２１を、図７に示すように、外径をペン体保持部材８の後端鍔部８ｄと略同径とした外方に突出した先端頭部２２ａを有したペン芯保持部材２２内に挿着し、ペン芯２１の先端をペン体保持部材８の後端鍔部８ｄに当接してペン芯２１のインキ流出溝とペン体保持部材８に設けたインキ流通路１１を連通させ、先端頭部２２ａの外側面に形成した雄ねじ部２３を前記軸体１９の内壁面に形成した雌ねじ部２４にねじ嵌合して、軸体１９に連接して設けてある。
【００２０】
軸体１９の後方にリング状で内周面に雌ねじ部２５を有した調整回動体２６を、軸体１９に対して回動可能に外側面が外方に露出するように配し、図８に示すような、等間隔にペン体６側に向かって突出した４つの突起体２７と、前記調整回動体２６の雌ねじ部２５にねじ嵌合する雄ねじ部２８を有したストローク調整体２９を、前記雄ねじ部２８を調整回動体２６の雌ねじ部２５にねじ嵌合して配して、調整部４としてある。なお本実施例では、突起体２７の数は４つでペン体６の数は６つであるが、各ペン体６が後退することで４つの突起体２７のいずれかの先端に当接可能に、突起体２７の形状を形成してあるが、突起体２７の数を、ペン体６の数に対応した数を設けても良い。
【００２１】
前記突起体２７の先端は、ペン体保持部材８の後端鍔部８ｄの突起体２７に対向した位置に設けた突起体２７の幅と略同等の幅を有した前後に貫通した貫通凹部３０と、ペン芯保持部材２２の先端頭部２２ａの突起体２７に対向した位置には、該突起体２７の幅と略同等の幅を有した貫通凹部３１を設けてあり、突起体２７の先端を、貫通凹部３１を通してペン体保持部材８の後端鍔部８ｄの前方の小軸部８ｃ上に位置させてある。
【００２２】
調整回動体２６の後方には、インキを直に収容可能なインキ収容室３２ａを有した軸筒３２が、該軸筒３２に形成した雌ねじ部３３をペン芯保持部材２２の外周面に形成した雄ねじ部３４にねじ嵌合して着脱自在に連接して軸部５としてある。前記調整回動体２６は、軸体１９と軸筒３２とにより挟持される。図示していないが、なお軸筒３２内に収容したインキが、軸筒３２の雌ねじ部３３とペン芯保持部材２２の雄ねじ部３４とのねじ嵌合部より漏れ出さないように、例えばパッキンを設ける等の手段を講じる必要があることはいうまでもない。
【００２３】
調整回動体２６は、軸体１９と軸筒３２とで挟持されており、前後動することがないので、調整回動体２６を回動するとストローク調整体２９は、突起体２７がペン体保持部材８の貫通凹部３０とペン芯保持部材２２の貫通凹部３１を構成する各々の横壁に当接して回動せずに前後動する。
【００２４】
本実施例の筆記具１は、軸筒３２内に収容したインキがペン芯２１を介してペン体保持部材８に形成したインキ流通路１１に流出し、該インキ流通路１１を通ってペン体保持部材８の前方突設部８ａの先端部８ａａに流出し、スリット１２を介してインキ滞留部１６にインキが溜り、各ペン体６の切割部７や隣り合うペン体６とで形成される隙間３５を通ってペン先２の先端にインキを充分に供給する。また、筆記時における筆圧により、図９に示すようにペン体６は後方へ移動し、ペン体６はコイルばね１８により前方方向（図９において左側方向）に弾発されており、筆圧に応じてペン体の後退量が変化するので万年筆のペン先のような筆記時における抑揚感を感ずることができる。また、調整回動体２６を回動してストローク調整体２９を前後動することで、筆圧によるペン体６の後退量を調整できるので、同じ筆圧でもペン体６の後退量に変化をもたらすことができる。
【実施例２】
【００２５】
次に、第２の実施例の筆記具を、図１０を用いて説明する。なお同じ部材同じ箇所を示す場合は同じ符号を付してある。本実施例の筆記具５１は、ペン芯保持部材２２が、インキカートリッジ５２に備えられたインキ流出防止用のための開口部を閉塞した蓋（図示せず）をずらして開口部を開口するための後方（図１０において右側方向）に突出した突出部５３を有した構造である点、ペン芯保持部材２２にインキカートリッジ５２を挿着する挿着部５４をしてあり、インキカートリッジ５２を挿着可能とした構造である点、軸筒３２がインキカートリッジ５２を収容可能な収容室５５を有した構造である点以外は、第１の実施例と同様のペン体６、ペン体保持部材８、コイルばね１８、軸体１９、調整回動体２６、ストローク調整体２９を形成し、第１の実施例と同様にして組み立てたものである。
【産業上の利用可能性】
【００２６】
本発明は、複数のペン先片を環状に配列し、各ペン先片の先端を全体形状が先窄み状となるように集合したペン先を有した筆記具において、筆記時の筆圧により後方へペン体が移動可能とし、筆圧によるペン体の後退量に変化をもたらしたい場合に適用できる。
【符号の説明】
【００２７】
１、５１  筆記具
２  ペン先
３  ペン先部
５  軸部
６  ペン体
６ａ  先端部
６ｂ  本体部
６ｃ  挿着部
７  切割部
８  ペン体保持部材
８ａ  前方突設部
８ａａ  先端部
８ｂ  本体部
８ｃ  小軸部
８ｄ  後端鍔部
９  収容溝
１１  インキ流通路
１２  スリット
１６  インキ滞留部
１８  コイルばね
１９  軸体
２６  調整回動体
２７  突起体
２９  ストローク調整体
３２  軸筒
【図１】
2012192583.tif 000003
【図２】
2012192583.tif 000004
【図３】
2012192583.tif 000005
【図４】
2012192583.tif 000006
【図５】
2012192583.tif 000007
【図６】
2012192583.tif 000008
【図７】
2012192583.tif 000009
【図８】
2012192583.tif 000010
【図９】
2012192583.tif 000011
【図１０】
2012192583.tif 000012